(57)【要約】【課題】シリンジをシリンジポンプに正確に位置決めして保持できるとともに、シリンジの軸方向への変位を防止して、薬液を正確に吐出できるシリンジを提供する。【解決手段】薬液を収容するシリンジ２の外筒３の基端部に設けられるフランジ部５を掛止するフランジ保持溝９を備え、上記フランジ部を上記フランジ保持溝に掛止した状態で上記シリンジ外筒に挿入された押し子４を押動させて上記薬液を押し出すように構成されたシリンジポンプ用のシリンジ２であって、上記フランジ部に、上記フランジ保持溝の内面に当接して、上記シリンジ外筒の軸方向への変位を防止する凸部１１を設けて構成される。【選択図】図３
2011217817.tif 000002
【特許請求の範囲】
【請求項１】
薬液を収容するシリンジの外筒基端部に設けられるフランジ部を掛止するフランジ保持溝を備え、上記フランジ部を上記フランジ保持溝に掛止した状態で上記シリンジ外筒に挿入された押し子を押動させて上記薬液を押し出すように構成されたシリンジポンプ用のシリンジであって、
上記フランジ部に、上記フランジ保持溝の内面に当接して、上記シリンジ外筒の軸方向への変位を防止する凸部を設けた、シリンジポンプ用シリンジ。
【請求項２】
上記凸部は、上記フランジ部の後方部に設けられているとともに、上記フランジ部の前方部を上記フランジ保持溝の前方面に対して弾性的に当接させるように構成されている、請求項１に記載のシリンジ。
【請求項３】
上記凸部は、上記フランジ部に弾性部材を接合して設けられている、請求項１又は請求項２のいずれかに記載のシリンジ。
【請求項４】
上記シリンジが樹脂材料で一体形成されているとともに、上記凸部は上記フランジ部に上記フランジ保持溝の内面に弾性的に当接させられる延出部を一体成形して構成されている、請求項１から請求項３のいずれか１項に記載のシリンジ。
【請求項５】
上記凸部は、上記シリンジに装着される取付部材に設けられている請求項１又は請求項２のいずれかに記載のシリンジ。
【請求項６】
薬液を収容するシリンジの外筒基端部に設けられるフランジ部を掛止するフランジ保持溝を備え、上記フランジ部を上記フランジ保持溝に掛止した状態で上記シリンジ外筒に挿入された押し子を押動させて上記薬液を押し出すように構成されたシリンジポンプ用のシリンジに用いられるシリンジ取付部材であって、
上記シリンジ保持溝の内面と上記フランジ部表面との間に介挿されて、上記シリンジ外筒の軸方向への変位を阻止する凸部を備える、シリンジ取付部材。
【請求項７】
上記凸部は、上記シリンジ保持溝の内面と、上記フランジ部表面との間で弾性変形させられるように構成されている、請求項６に記載のシリンジ取付部材。
【請求項８】
シリンジの外筒外面又はフランジ部に装着できる装着手段を備える、請求項６又は請求項７のいずれかに記載のシリンジ取付部材。
【請求項９】
薬液を収容するシリンジをシリンジポンプに装着する装着方法であって、
上記シリンジの基端部に形成されたフランジ部を、上記シリンジポンプに設けられたフランジ保持溝に掛止するとともに、
上記フランジ部に設けた凸部を上記フランジ保持溝の内面に当接させることによって、上記シリンジの軸方向への変位を防止する、シリンジポンプにおけるシリンジの装着方法。
【請求項１０】
上記凸部が上記フランジ保持溝内で弾性変形させられて、上記フランジ部が上記フランジ保持溝内で弾性的に保持される、請求項９に記載のシリンジポンプにおけるシリンジの装着方法。
【発明の詳細な説明】
【技術分野】
【０００１】
本願発明は、シリンジポンプ用シリンジ、シリンジ取付部材及びシリンジポンプにおけるシリンジの装着方法に関する。詳しくは、シリンジポンプに装着したシリンジの外筒が、押し子の押動操作等によって軸方向へ変位するのを防止できるシリンジに関する。
【背景技術】
【０００２】
シリンジポンプは、ＩＣＵ等において、栄養補給や輸血、麻酔剤の注入等を高い精度で行う場合に用いられることが多い。上記シリンジポンプは、薬液を収容したシリンジの外筒を種々のクランプ機構を用いて位置決め保持する一方、上記シリンジ外筒に後方から挿入された押し子をシリンジの軸方向に移動させるスライダ等の押動手段に連結固定し、上記押し子を上記シリンジ外筒に所定の速度で押し込むことにより、薬液を吐出するように構成されている。
【０００３】
上記押し子からの押圧力を支持するために、上記シリンジ外筒を位置決めして固定する必要がある。上記外筒の位置決めを行うために、シリンジの外筒を載置できる凹部と、この凹部の軸方向端部に設けられたシリンジ保持溝と、シリンジ外筒を上記凹部に弾性的に押し付けて固定するロック機構が設けられている。上記凹部は、円筒内面状に形成されており、シリンジ外筒を凹部内に収容するようにして保持することにより横方向の位置決めが行われる。また、上記シリンジ外筒の基端開口の周囲に設けられたフランジ部が、上記フランジ保持溝に掛止されることにより、上記シリンジ外筒の軸方向の位置決めを行っている。また、上記ロック機構は上記凹部との間で上記シリンジ外筒を挟圧保持して固定するアームを備えて構成されている。
【０００４】
【特許文献１】特開２００５−５２３６７
【発明の開示】
【発明が解決しようとする課題】
【０００５】
上記シリンジポンプには、様々なメーカのシリンジが装着される。シリンジの各部寸法は、メーカによって異なる。また、使用する薬液の量に応じてサイズの異なるシリンジを装着する必要があるが、サイズに応じてシリンジの各部寸法も異なる。このため、上記シリンジポンプの上記凹部及び上記フランジ保持溝の幅は、種々のシリンジを装着できるように大きく形成されている。
【０００６】
シリンジ外筒は上記凹部と上記アームとの間で弾性的に挟圧保持されるため、上下方向及び左右方向へのガタはほとんどなく、シリンジがこれら方向へ変位することはほとんどない。
【０００７】
一方、シリンジの軸方向に対する位置決めは、シリンジの上記フランジ部をフランジ保持溝に掛止することにより行われる。ところが、上記フランジ保持溝の溝幅は、異なるメーカのシリンジや、サイズの異なるシリンジに対応するため、フランジの厚さよりかなり大きく設定されている。また、上記ロック機構のアーム部から作用する弾性力によって、軸方向の変位に対する抵抗力も発生するが、上記押し子の押圧力に対抗するほど大きくはない。このため、シリンジの軸方向の位置決めを正確に行うことはできない。
【０００８】
しかも、上記シリンジ外筒には、使用時には上記押し子から軸方向前方に向かう押圧力が作用する。一方、シリンジ先端部に連結された薬液チューブ等からシリンジ外筒を後方側へ変位させる負圧が作用する場合もある。このような場合、シリンジ外筒がこれらの力によって軸方向に変位する。この結果、薬液の吐出速度が変動したり、正確な量の薬液を吐出できないという問題があった。
【０００９】
本願発明は、上記問題を解決するために案出されたものであって、上記従来の問題を解決し、シリンジをシリンジポンプに正確に位置決めして保持できるとともに、シリンジ外筒の軸方向への変位を防止して、薬液を正確に吐出できるシリンジ、シリンジ取付部材及びシリンジポンプにおけるシリンジの装着方法を提供することを課題とする。
【課題を解決するための手段】
【００１０】
本願の請求項１に記載した発明は、薬液を収容するシリンジの外筒基端部に設けられるフランジ部を掛止するフランジ保持溝を備え、上記フランジ部を上記フランジ保持溝に掛止した状態で上記シリンジ外筒に挿入された押し子を押動させて上記薬液を押し出すように構成されたシリンジポンプ用のシリンジであって、上記フランジ部に、上記フランジ保持溝の内面に当接して、上記シリンジ外筒の変位を防止する凸部を設けて構成される。
【００１１】
本願発明は、フランジ部をフランジ保持溝に掛止するとともに、押し子を押動することにより薬液を吐出させるシリンジポンプに装着できるものであれば種々の形態のシリンジに適用できる。また、病院等において所要の薬液を充填してから使用するシリンジのみならず、あらかじめ薬液を充填して販売される形態のシリンジにも適用できる。
【００１２】
上記フランジ部の形態も特に限定されることはない。シリンジポンプのフランジ保持溝に掛止できる形態であればよく、シリンジポンプ専用の形態に形成されたものにも適用できる。
【００１３】
上記凸部の形態や寸法も特に限定されることはない。上記凸部は、シリンジをシリンジポンプに装着した状態で、フランジ保持溝の内面に当接させられるように構成される。これにより、シリンジの軸方向への変位が規制される。なお、シリンジ外筒の軸方向変位を完全に阻止する必要はなく、フランジ厚みに比べてシリンジ外筒の軸方向への変位量を減少させるものであれば、所要の効果を期待できる。また、シリンジの軸方向への変位量を０．１ｍｍ以下に規制する凸部を設けるのが好ましい。
【００１４】
たとえば、複数の突起を設けて上記凸部を構成できる。また、所要の範囲をフランジ側面から膨出させて上記凸部を構成することもできる。
【００１５】
上記凸部は、フランジ部の後方面に設けるのが好ましい。押し子は、シリンジの先端側に向かって押動させられるため、通常は前方向への力が作用する。このため、フランジ部の後方面とフランジ保持溝の後方面との間に介挿される凸部を設けて、フランジ部の前方面をフランジ保持溝の前方面に当接させることにより、シリンジを確実に位置決めして保持し、薬液を吐出させることができる。
【００１６】
請求項２に記載した発明のように、上記凸部を、上記フランジ部の後方部に設けるとともに、上記フランジ部の前方部を上記フランジ保持溝の前方面に対して弾性的に当接させるように構成することができる。
【００１７】
請求項２の構成を採用すると、上記フランジ部と上記フランジ保持溝の間の隙間を実質的になくすことができる。このため、シリンジを上記フランジ保持溝の前方面を基準として精度高く位置決め保持することが可能となる。しかも、フランジ部が弾力によってフランジ保持溝の前方面に押し付けられるため、シリンジ内部に負圧が作用した場合にも、シリンジ外筒が後方に向かって変位することがない。したがって、安全性も向上する。
【００１８】
上記凸部を設ける手法は特に限定されることはない。上記フランジ部に、凸部を一体的に成形することができる。また、別部材を接着等することによって設けることもできる。上記凸部を構成する材料と特に限定されることはない。
【００１９】
請求項３に記載した発明のように、上記凸部を、上記フランジ部に弾性部材を接合して設けることができる。たとえば、ゴム状の弾性体を上記フランジ部の後方面に接着して上記凸部を設けることができる。
【００２０】
また、請求項４に記載した発明のように、上記シリンジを樹脂材料で一体形成するとともに、上記凸部を、上記フランジ部に上記フランジ保持溝の内面に弾性的に当接させられる延出部を一体成形して構成することができる。これにより、極めて容易に、かつ安価に弾性を有する上記凸部を設けることができる。
【００２１】
また、上記凸部を上記フランジ部に直接設ける必要もない。たとえば、請求項５に記載した発明のように、上記凸部を、上記シリンジに装着される取付部材に設けることができる。
【００２２】
たとえば、上記フランジ部に着脱可能に嵌着される取付部材を設け、この取付部材に上記凸部を設けることができる。取付部材を介して上記凸部を設けることにより、既存のシリンジに対しても上記凸部を設けることが可能となる。また、種々のメーカのシリンジや種々のサイズのシリンジに対して、上記凸部を設けることが可能となる。
【００２３】
請求項６に記載した発明は、薬液を収容するシリンジの外筒基端部に設けられるフランジ部を掛止するフランジ保持溝を備え、上記フランジ部を上記フランジ保持溝に掛止した状態で上記シリンジ外筒に挿入された押し子を押動させて上記薬液を押し出すように構成されたシリンジポンプ用のシリンジに用いられるシリンジ取付部材であって、上記シリンジ保持溝の内面と上記フランジ部表面との間に介挿されて、上記シリンジ外筒の軸方向への変位を阻止する凸部を備えて構成したものである。
【００２４】
上記取付部材に設けられる凸部の形態も特に限定されることはない。たとえば、請求項７に記載した発明のように、上記凸部を、上記シリンジ保持溝の内面と、上記フランジ部表面との間で弾性変形させられるように構成することができる。
【００２５】
また、上記取付部材のシリンジ外筒に対する取付手法も特に限定されることはない。固定的に設けることもできるし、着脱可能に設けることもできる。また、シリンジ外筒に対する装着位置も特に限定されることはない。たとえば、請求項８に記載した発明のように、シリンジの外筒外面又はフランジ部に装着できる装着手段を備えて構成することができる。
【００２６】
請求項９に記載した発明は、薬液を収容したシリンジをシリンジポンプに装着する装着方法であって、上記シリンジの基端部に形成されたフランジ部を、上記シリンジポンプに設けられたフランジ保持溝に掛止するとともに、上記フランジ部に設けた凸部を上記フランジ保持溝の内面に当接させることによって、上記シリンジの軸方向への変位を防止する、シリンジポンプにおけるシリンジの装着方法に関するものである。
【００２７】
請求項１０に記載した発明は、上記凸部が上記フランジ保持溝内で弾性変形させられて、上記フランジ部が上記フランジ保持溝内で弾性的に保持されるシリンジポンプにおけるシリンジの装着方法に係るものである。
【発明の効果】
【００２８】
シリンジポンプの所定位置に、シリンジを確実に位置決め保持できるとともに、シリンジが不用意に変位して、薬液の吐出速度等が変動することがなくなる。
【発明を実施するための最良の形態】
【００２９】
以下、本願発明の実施形態を図に基づいて具体的に説明する。
【００３０】
本実施形態に係るシリンジ２は、薬液を収容保持する外筒３と、上記外筒３の基端部において半径方向外方に延出形成された小判状のフランジ部５と、上記基端部側から上記外筒内部へ挿入された押し子４とを備えて構成されており、全体が樹脂成形によって形成されている。上記外筒３の先端部には、吐出口３ａが形成されており、輸液チューブ等が連結される。一方、上記押し子４の基端側には、押し子フランジ部１３が設けられている。
【００３１】
シリンジポンプ１は、シリンジ２の外筒３を保持するシリンジ外筒保持手段６，９，１２と、上記シリンジ外筒３に挿入された押し子４の基端部１３を保持するとともに押動させて上記薬液を押し出す押動手段１０とを備えて構成される。
【００３２】
本実施形態に係る上記シリンジ外筒保持手段は、シリンジポンプ１のハウジング上面にシリンジ外筒３を載置できる略円筒外面状の載置面６ａを設けて構成される外筒保持部６と、上記外筒保持部６の基端側に設けられた縦壁部７及び８の間に形成されてシリンジ２のフランジ部５を掛止するフランジ保持溝９と、上記シリンジ外筒３を挟圧保持できるロック機構１２を備えて構成されている。
【００３３】
上記押動手段１０は、図示しない駆動ネジをモータによって回転させることにより、軸方向に移動できるように構成されている。上記押動手段１０は、押し子４の基端部１３に形成されたフランジ部を保持するとともに軸方向前方に押動させ、シリンジ外筒３内に収容された薬液を吐出口３ａから吐出させる。
【００３４】
図２及び図３に示すように、本実施形態に係る上記フランジ保持溝９の幅は、シリンジ２のフランジ部５の厚みよりも大きく設定されている。このため、上記フランジ部５を上記フランジ保持溝９に収容した状態で、上記フランジ部側面とフランジ保持溝９の内面との間に隙間が生じる。このため、軸方向の力が作用すると、外筒３が軸方向に変位させられる。
【００３５】
図４に示すように、第１の実施形態に係るシリンジ２のフランジ部５の後方面５ｂには、矩形状の凸部１１が一体形成されている。上記凸部１１は、上記フランジ部５の後方面５ｂとフランジ保持溝９の後方面９ｂとの間に形成された隙間の幅に対応した厚さで形成されている。また、上記凸部１１は、フランジ部５の長径側に２箇所設けられている。
【００３６】
図６に示すように、上記フランジ部５をフランジ保持溝９に挿入すると、上記凸部１１が上記フランジ後方面５ｂと、フランジ保持溝９の後方面９ｂとの間を埋めるように位置させられる。これにより、フランジ部５のフランジ保持溝９内での変位可能範囲が大幅に減少させられる。このため、外筒３が軸方向に変位するのを防止し、薬液の吐出速度が変動したり、薬液の吐出量が狂うのを防止できる。
【００３７】
また、フランジ部５の全ての部分の厚みを増加させるものではないため、シリンジの重量が増加したり、製造コストが増加することもない。
【００３８】
図７に、本願発明の第２の実施形態を示す。この実施形態では、フランジ部２０５の後方面２０５ｂにスペーサ部材２１１ａを貼着することにより、凸部２１１を形成している。本実施形態に係る上記スペーサ部材２１１ａは、弾性変形できるゴム材料で形成されている。また、上記フランジ部２０５と上記スペーサ２１１ａの合計厚みは、フランジ保持溝２０９の幅より若干大きく設定されている。
【００３９】
上記凸部２１１を設けた上記フランジ２０５を上記フランジ保持溝２０９に挿入すると、上記凸部２１１が、フランジ部２０５の後方面２０５ｂとフランジ保持溝２０９の後方面２０９ｂとの間で挟圧されて弾性変形させられる。
【００４０】
上記構成によって、フランジ部２０５の前方面２０５ａをフランジ保持溝２０９の前方面２０９ａに弾性的に押し付けて位置決めした状態で、シリンジ外筒２０３を装着することが可能となる。これにより、上記フランジ部２０５と上記フランジ保持溝９の間の隙間を完全になくすことが可能となり、シリンジ外筒２０３を精度高く位置決めできるとともに、軸方向の変位を完全に阻止できる。この結果、薬液の吐出速度が変動したり、吐出量が狂うことはなくなる。
【００４１】
図８及び図９に本願発明の第３の実施形態を示す。第３の実施形態は、樹脂材料で形成されたフランジ部３０５に、弾性変形しうる凸部３１１を一体的に型成形したものである。
【００４２】
図８に示すように、上記凸部３１１は、フランジ部３０５の開口３１４を挟む両側部に、帯状の膨出部３１１ａを設けて構成されている。上記膨出部３１１ａは、長手方向両端部が上記フランジ部に繋がっているとともに、両側部が上記フランジ部から切り離されている。また、上記膨出部３１１ａの厚みは、フランジ部３０５の厚みより小さく設定されている。上記フランジ部３０５は樹脂材料から形成されているため、上記膨出部３１１ａは厚み方向へ弾性変形可能となる。
【００４３】
図９に示すように、上記膨出部３１１ａを形成したフランジ部３０５をフランジ保持溝３０９に掛止すると、上記膨出部３１１ａが厚み方向に弾性圧縮変形させられる。これにより、第２の実施形態と同様に、フランジ部を位置決めして保持することができる。
【００４４】
図１０及び図１１に本願発明に係る第４の実施形態を示す。この実施形態では、フランジ部４０５が小さいサイズのシリンジ４１１に本願発明を適用したものである。
【００４５】
本実施形態では、小型シリンジの小さなフランジ部４０５の外周部に延出部４０５ｃを一体的に形成し、この延出部４０５ｃの後方面に本願発明に係る凸部４１１を設けたものである。
【００４６】
上記延出部４０５ｃは、フランジ保持溝に収容される部分を延出させて形成されている。上記延出部４０５ｃの後方面に所定厚みの矩形状スペーサ４１１ａを貼着することにより、上記凸部４１１が設けられている。図１１の２点鎖線は、第１の実施形態に係る大型のシリンジにおけるフランジ部の形態を示すものである。この図から明らかなように、この構成を採用することにより、サイズの小さいシリンジ４１１に対しても、本願発明を適用することが可能となる。
【００４７】
図１２及び図１３に本願発明の第５の実施形態を示す。
【００４８】
第５の実施形態は、シリンジに装着される取付部材５００に、本願発明に係る凸部５１１を設けたものである。
【００４９】
上記取付部材５００は、シリンジ５０２のフランジ部５０５の端縁に連結される連結部５００ａと、上記連結部５００ａからフランジ部５０５の後方面５０５ｂに沿って延出する延出部５００ｂと、上記連結部５００ａからフランジ部５０５の前方面５０５ａに延出形成された掛止部５００ｃとを備え、全体が弾性を有する樹脂材料から形成されている。そして、上記延出部５００ｂの先端部に本願発明に係る凸部５１１が形成されている。
【００５０】
上記延出部５００ｂと上記掛止部５００ｃとの間の隙間は、上記フランジ部５０５の厚みよりも若干小さく形成されており、上記フランジ部５０５の縁部を弾性的に挟むようにして上記フランジ部５０５に装着される。一方、上記凸部５１１は、上記延出部５００ｂの先端側を、上記フランジ部５０５の後方面から膨出するように弓状に湾曲させて構成されている。
【００５１】
上記構成の取付部材５００が装着されたシリンジのフランジ部５０５を、フランジ保持溝に挿入すると、上記凸部５１１が、上記フランジ部５０５の後方面５０５ｂとフランジ保持溝の後方面との間で挟圧されて弾性変形させられる。これにより、上記フランジ部５０５をフランジ保持溝の前方面に対して弾性的に押し付けることが可能となり、上述した実施形態と同様の効果を発揮させることができる。
【００５２】
なお、上記第５の実施形態では、取付部材をフランジ部５０５の縁部に弾性的に嵌着するように構成したが、取付部材を装着する位置及び手法は特に限定されることはない。たとえば、両面粘着テープ等によってフランジ面に貼着することもできる。
【００５３】
本願発明は、上述の実施形態に限定されることはない。実施形態では、押し子が挿入される開口部を挟んで２箇所に凸部を設けたが、１箇所あるいは３箇所以上に凸部を設けることができる。また、実施形態では、矩形状の凸部を設けたが、凸部の形態は特に限定されることはない。
【図面の簡単な説明】
【００５４】
【図１】本願発明に係るシリンジポンプの正面図である。
【図２】図１に示すシリンジポンプの平面図である。
【図３】図２の要部拡大図である。
【図４】第１の実施形態に係るシリンジの要部外観斜視図である。
【図５】図４に示すシリンジを後方側からみた図である。
【図６】図３におけるＶＩ−ＶＩ線に沿う断面図である。
【図７】第２の実施形態を示す図であり、図６に相当する断面図である。
【図８】第３の実施形態に係るシリンジの要部外観斜視図である。
【図９】第３の実施形態に係るシリンジをシリンジポンプに装着した状態を示す図であり、図６に相当する断面図である。
【図１０】第４の実施形態に係るシリンジの要部外観斜視図である。
【図１１】図１０に示す第４の実施形態に係るシリンジを後方側からみた図である。
【図１２】第５の実施形態に係るシリンジを後方側からみた図である。
【図１３】図１２におけるＸＩＩＩ−ＸＩＩＩ線に沿う断面図である。
【符号の説明】
【００５５】
１  シリンジポンプ
２  シリンジ
３  外筒
４  押し子を
５  フランジ部
９  フランジ保持溝
９ｂ  フランジ保持溝
１１  凸部
【図１】
2011217817.tif 000003
【図２】
2011217817.tif 000004
【図３】
2011217817.tif 000005
【図４】
2011217817.tif 000006
【図５】
2011217817.tif 000007
【図６】
2011217817.tif 000008
【図７】
2011217817.tif 000009
【図８】
2011217817.tif 000010
【図９】
2011217817.tif 000011
【図１０】
2011217817.tif 000012
【図１１】
2011217817.tif 000013
【図１２】
2011217817.tif 000014
【図１３】
2011217817.tif 000015